(57)【特許請求の範囲】
【請求項１】
歯付きの搬送ベルトを駆動ギヤと複数個の従動ローラとの間に掛け渡し、上記搬送ベルトによって磁気ヘッドを往復走行させ、通帳に形成した磁気記録面に対し記録又は再生を行うようにした通帳リーダライタにおいて、上記搬送ベルトの歯部を上記磁気ヘッドの側部において外面側に位置させるとともに上記駆動ギヤを上記複数個の従動ローラの間に配置して上記駆動ギヤに対する巻き付け角を大きくし、上記搬送ベルトの歯面側に上記搬送ベルトと一体で走行する防塵部材を設け、該防塵部材は、上記駆動ギヤに巻き付けずに上記従動ローラの間を掛け渡すようにしたことを特徴とする通帳リーダライタ。
【請求項２】
上記往復走行する磁気ヘッドの一方側端部に２つの従動ローラを配置するとともに該２つの従動ローラの間に上記搬送ベルトの巻き付け面がこれら従動ローラの場合とは逆になるように上記駆動ギヤを配置し、上記防塵部材を、上記従動ローラの間に掛け渡すとともに、上記従動ローラの間で上記防塵部材にテンションを与えるテンション部材を設けてなることを特徴とする請求項１記載の通帳リーダライタ。
【請求項３】
上記一方側端部が、磁気ヘッドが移動する前の原位置であり、上記磁気ヘッドが移動するフレームには磁気ヘッドが移動するための走行用空間が設けられており、磁気ヘッドが移動する前の原位置において上記走行用空間は上記フレームより離間した状態で設けられたシャッター用ベルトによって覆われており、尚かつ該シャッター用ベルトは、上記走行用空間を覆って機器内部を保護するシャッターとして機能するとともに上記フレームから離間した状態で走行可能であることを特徴とする請求項２記載の通帳リーダライタ。
【請求項４】
上記テンション部材は、回転可能なローラ部材が片持ち支持されるように構成されたものであることを特徴とする請求項３記載の通帳リーダライタ。
【発明の詳細な説明】
【０００１】
【発明の属する技術分野】
本発明は、通帳の磁気記録面への磁気データの記録あるいは再生を行う通帳リーダライタに関する。さらに詳述すると、本発明は、通帳リーダライタのヘッド移動機構およびその保護についての改良に関する。
【０００２】
【従来の技術】
通帳リーダライタ１０１は、図３に示すように、通帳の磁気記録面１０２への磁気データの記録あるいは再生を行うため、磁気ヘッド１０３を直線移動させるようにしたヘッド移動機構１０４を備えたものが一般的である。かかるヘッド移動機構１０４は、例えば、磁気ヘッド１０３を保持するヘッド保持部材１０５の移動方向各側部に歯付きの搬送ベルト１０６とシャッター用ベルト１０７とからなる環状の平ベルトを連結し、この平ベルトを駆動ギヤ１０８、従動ローラ１０９，１０９、大径従動ローラ１１２に巻き掛け、駆動ギヤ１０８を正回転あるいは逆回転することにより磁気ヘッド１０３をフレーム１１０に沿って往復直線移動させるようにしている。
【０００３】
このようなヘッド移動機構１０４では、駆動ギヤ１０８に対する搬送ベルト１０６の巻き付け角θを十分に確保するため、この駆動ギヤ１０８が、上下配置された従動ローラ１０９，１０９間からさらに機器内部側へ寄った位置に配置されている。この場合、一方の面に歯部１１１が形成された搬送ベルト１０６は、両従動ローラ１０９，１０９の間を移動するときだけその歯部１１１が内面側を向いて駆動ギヤ１０８の歯と噛み合うように、歯面が機器の外面側を向くようにして巻き掛けられている。
【０００４】
【発明が解決しようとする課題】
しかしながら、このようなヘッド移動機構１０４では、ヘッド保持部材１０５と従動ローラ１０９の間において搬送ベルト１０６の歯部１１１が上を向いているため、この歯面に塵埃が付着してしまうおそれがある。例えば、搬送ベルト１０６が通帳の磁気記録面１０２の真下を通過するときに、磁気ヘッド１０３との接触により生じる磁気記録面１０２の塵埃が歯面に付着することがあり、このような場合、走行速度のむらや異音が生じるおそれがある。
【０００５】
一方、この搬送ベルト１０６と組をなすシャッター用ベルト１０７は、機器内部へ塵埃が侵入するのを防止するためフレーム１１０の溝間隔よりも幅広となるように形成されているが、このベルト１０７の下面がフレーム１１０と接触しながら摺接する場合、特にベルト１０７がゴム材によって形成されている場合に摺動抵抗が大きくなってしまう問題がある。また、度重なる摺動によってゴム面が変化すると、摩擦抵抗も変化することから磁気ヘッド１０３の走行速度にむらが生じるおそれもある。
【０００６】
そこで、本発明は、搬送ベルトの歯部が形成された面へ塵埃が付着するのを防止する通帳リーダライタを提供することを目的とする。併せて本発明は、シャッター用ベルトとフレームとの接触による走行むらの発生防止を図ることを目的とする。
【０００７】
【課題を解決するための手段】
かかる目的を達成するため、請求項１記載の発明は、歯付きの搬送ベルトを駆動ギヤと複数個の従動ローラとの間に掛け渡し、搬送ベルトによって磁気ヘッドを往復走行させ、通帳に形成した磁気記録面に対し記録又は再生を行うようにした通帳リーダライタにおいて、搬送ベルトの歯部を磁気ヘッドの側部において外面側に位置させるとともに駆動ギヤを複数個の従動ローラの間に配置して駆動ギヤに対する巻き付け角を大きくし、搬送ベルトの歯面側に搬送ベルトと一体で走行する防塵部材を設け、該防塵部材は、駆動ギヤに巻き付けずに従動ローラの間を掛け渡すようにしたものである。
【０００８】
この場合、防塵部材は搬送ベルトの歯面側に重なり合うように設けられる帯状の部材であり、重なり合ったまま一体となって走行し、ベルトの歯面に塵埃が付着するのを防止している。ここで、搬送ベルトは一方の従動ローラから駆動ギヤを経由して他方の従動ローラへと巻き掛けられているが、この防塵部材は一方の従動ローラから他方の従動ローラへと直接掛け渡されている。したがって、搬送ベルトに重ねられた状態で走行する防塵部材は、一方の従動ローラを過ぎたところで搬送ベルトの歯面から一旦分離され、他の従動ローラに到達するとき再び搬送ベルトと重なり合う。このように、防塵部材は搬送ベルトに対して一部別ルートを走行するように設けられているため、搬送ベルトと駆動ギヤとの間に挟まって噛み合いを妨げるようなことがない。
【０００９】
請求項２記載の発明は、請求項１記載の通帳リーダライタにおいて、往復走行する磁気ヘッドの一方側端部に２つの従動ローラを配置するとともに該２つの従動ローラの間に搬送ベルトの巻き付け面がこれら従動ローラの場合とは逆になるように駆動ギヤを配置し、防塵部材を、従動ローラの間に掛け渡すとともに、従動ローラの間で防塵部材にテンションを与えるテンション部材を設けるようにしたものである。
【００１０】
したがって、この通帳リーダライタにおいては駆動中に防塵部材が弛んでしまうことがない。また、搬送ベルトの張力を調整できるし、経路変化による搬送ベルトの長さの変化に対応することもできる。しかもこの場合、防塵部材は従動ローラへの巻き付け角が大きくなる方向へ張力付与されているため、安定した走行が実現される。
【００１１】
請求項３記載の発明では、請求項２記載の通帳リーダライタにおいて、一方側端部が、磁気ヘッドが移動する前の原位置であり、磁気ヘッドが移動するフレームには磁気ヘッドが移動するための走行用空間が設けられており、磁気ヘッドが移動する前の原位置において走行用空間はフレームより離間した状態で設けられたシャッター用ベルトによって覆われており、尚かつ該シャッター用ベルトは、走行用空間を覆って機器内部を保護するシャッターとして機能するとともにフレームから離間した状態で走行可能である。
【００１２】
この場合、シャッター用ベルトは走行用空間を覆って機器内部を保護するシャッターとして機能することに加え、フレームから離間した状態で走行可能であるため、フレームとの間における摺動抵抗を小さくするかあるいはなくして走行むらの発生を防止している。
【００１３】
また請求項４記載の発明では、請求項３記載におけるテンション部材が、回転可能なローラ部材が片持ち支持されるようにして構成されている。この場合、テンション部材の構成が簡単であるとともに、張力の調整なども行い易い。
【００１４】
【発明の実施の形態】
以下、本発明の構成を図面に示す実施の形態の一例に基づいて詳細に説明する。
【００１５】
図１および図２に、本発明の通帳リーダライタの一実施形態を示す。この通帳リーダライタ１は、歯部３が付いた搬送ベルト２を駆動ギヤ４と複数個（本実施形態では２個）の従動ローラ５，５との間に掛け渡し、搬送ベルト２によって磁気ヘッド６を往復走行させるようにしたヘッド移動機構２２を備え、通帳に形成した磁気記録面７に対し記録又は再生を行うようにしたものである。また、本実施形態では、搬送ベルト２の歯部３を磁気ヘッド６の側部において外面側に位置させるとともに駆動ギヤ４を複数個の従動ローラ５，５の間に配置して駆動ギヤ４に対する巻き付け角θを大きくし、搬送ベルト２の歯部３のある面側に搬送ベルト２と一体で走行する防塵部材８を設け、さらに該防塵部材８を、駆動ギヤ４に巻き付けず従動ローラ５，５の間に掛け渡すようにしている。
【００１６】
以下、通帳リーダライタ１の各構成について説明する。まず、単一の環状ベルトを構成する２種の平ベルトが、磁気ヘッド６の一方側端部９に配置される従動ローラ５，５と、他方の側端部に配置される大径の従動ローラ１４との間に掛け渡されている。この場合の２種の平ベルトは、一方が歯部３を有する搬送ベルト２、他方がシャッター用ベルト１３とされ、各ベルト２，１３のそれぞれの端部が磁気ヘッド６を保持するヘッド保持部材１５と連結部材１６とに全体が環状となるように連結され、無端ベルトの一部を形成している。これにより、両ベルト２，１３は磁気ヘッド６を往復走行させるヘッド移動機構２２の一部を構成している。なお、ヘッド保持部材１５と両ベルト２，１３とは、例えばヘッド保持部材１５の両端に係止突起を設けた斜めの止着用溝１７，１８を設け、この止着用溝１７，１８に各ベルト端をそれぞれ差し込むことによって止められている。また、搬送ベルト２の場合と同様、シャッター用ベルト１３としても歯付きとされたタイミングベルトなどの使用が好ましいが特にこれに限定されることはない。
【００１７】
搬送ベルト２は、特に図示していないが、ヘッド保持部材１５の左右のフレーム１１の縁で構成されるガイド部の間隔よりもかなり幅狭に形成され、従動側の小径の従動ローラ５，５および駆動ギヤ４に巻き掛けられている。一方、シャッター用ベルト１３は、従動側の大径の従動ローラ１４に巻き掛けられガイド部の間隔よりも幅広で通帳リーダライタ１の内部を覆って異物の侵入を防ぐシャッタとしての役割を兼用している。
【００１８】
また、両ベルト２，１３は連結部材１７で連結されているため、ヘッド保持部材１５と両ベルト２，１３と連結部材１７とで無端環状体が形成され、正逆回転するモータなどの駆動手段（図示省略）による駆動によって、ヘッド保持部材１５および磁気ヘッド６をガイド部に沿ってどちらの方向に動いても磁気ヘッド６がその方向への張力を受け無理なく滑らかに移動できるように往復直線移動可能に設けられている。ただしこのベルト２，１３の取り付け方法はこれに限られることはなく、例えば当初から切れ目なく周状に形成されている断面平板状のベルトを一方側端部９の従動ローラ５，５と他方の側端部の従動ローラ１４に掛け、この平板状のベルトにヘッド保持部材１５を後付けして取り付けるようにしても構わない。
【００１９】
また、２つの従動ローラ５，５は、搬送ベルト２を案内しながらフリー回転するように例えばフランジとボールベアリングを備えて形成されるものであり、磁気ヘッド６の一方側端部９側に上下に並んで配置されている。そして、搬送ベルト２を、適宜張力を付与して張り詰めながら支持するようにフレーム１１に固定して設けられている。また、このように上下配置された従動ローラ５，５の間には、駆動ギヤ４が、両従動ローラ５，５とほぼ正三角形を形成するような磁気ヘッド６寄りの位置に、従動ローラの巻き付け方向と逆の関係になるように配置される。この場合、各従動ローラ５，５は、搬送ベルト２が巻き付けられたときの駆動ギヤ４に対する巻き付け角θが十分に確保されるよう、図１に示すように互いにある程度接近して配置される。また、駆動ギヤ４は、モータなどの駆動手段の駆動力を滑りなく伝達できるようにその周面に搬送ベルト２の歯部３と係合する歯を備えている。
【００２０】
そして、駆動ギヤ４の歯と係合する歯部３を一方の面に備えて形成された上述の搬送ベルト２は、２個の搬送ローラ５，５にこの歯部３が外面側を向いて掛け渡されるとともに、この歯部３が内面側となるように駆動ギヤ４に巻き付けられている。この場合、搬送ベルト２は、図１に示すように駆動ギヤ４の周囲にほぼＵ字型に巻き付けられ、十分な巻き付け角θを確保している。
【００２１】
さらに、本実施形態における通帳リーダライタ１では、歯部３が外側を向いた状態で掛け渡される搬送ベルト２のさらに外側に、この歯部３を塵埃から保護する防塵部材８が重なり合うように設けられている。ここで、防塵部材８は、その両端がそれぞれ磁気ヘッド６のヘッド保持部材１５と連結部材１６とに接続された例えば帯状フィルムなどによって形成されるが、従動ローラ５，５に沿って自在に折れ曲がり、耐久性を備えた薄い部材であれば特にその材質は限定されない。
【００２２】
この場合、防塵部材８は、駆動ギヤ４に巻き付けられないよう、図１に示すように従動ローラ５から直接もう一方の従動ローラ５へと掛け渡され、搬送ベルト２と駆動ギヤ４の間に入り込まないようになっている。このため防塵部材８は、搬送ベルト２が駆動ギヤ４に掛け渡される長さの分だけこの搬送ベルト２よりも短くされている。
【００２３】
加えて、この従動ローラ５，５の間には、防塵部材８に張力（テンション）を与えるテンション部材１０が設けられている。このテンション部材１０は、図１に示すように、両従動ローラ５，５の間で防塵部材８を駆動ギヤ４側に押さえ付けてテンションを与えるものであり、本実施形態では、図２に示すように、テンション部材１０の幅いっぱいの長さを有するローラ部材１０ａがＬ形に形成された棒ばねからなる支持部材１０ｂに回転可能に支持されて構成されている。支持部材１０ｂは、その端部を鉤形の片持ち押さえ部材１０ｃによってフレーム１１に横向きに固定されているため、構造が簡単であるとともに張力調整などが行い易い。
【００２４】
一方、他方の側端部となる側においては、大径の従動ローラ１４が、フレーム１１に対してベルト掛け渡し方向ａに移動可能となるよう、ベルト掛け渡し方向ａに移動可能とされたローラ支持部材２０によって回転自在に支持されている。また、フレーム１１とローラ支持部材２０との間には、ローラ支持部材２０のベルト掛け渡し方向ａの位置を調整するための偏心部材２１が設けられている。偏心部材２１は２つの孔２３，２３を利用して回転角を調整することが可能とされている。
【００２５】
このローラ支持部材２０は、図１に示すように、大径の従動ローラ１４の回転軸を回転可能に支持し、フレーム１１の長孔２５，２５と固定ねじ２４，２４との係合によるガイドでベルト掛け渡し方向ａに移動可能となるように設けられている。したがってこのローラ支持部材２０は、フレーム１１に対して任意の位置で固着可能とされる。本実施形態では固着手段として図１に示すように固定ねじ２４，２４が用いられているが、固着手段は特にこれに限られることはない。フレーム１１の固定ねじ２４，２４と対応する位置に設けられる長孔２５，２５は、その孔の長さの分だけローラ支持部材２０のベルト掛け渡し方向ａへの移動を許容している。
【００２６】
さらに、本実施形態の通帳リーダライタ１では、磁気ヘッド６が移動するフレーム１１に、磁気ヘッド６が移動するための走行用空間１２を設けるようにしている。また、通帳リーダライタ１においては、例えばゴム製とされるシャッター用ベルト１３のいずれの部分もフレーム１１に接触しないように設けられていることが好ましい。本実施形態では、磁気ヘッド６が移動する前の原位置６ａにおいて、シャッター用ベルト１３はフレーム１１より離間した状態で走行用空間１２を覆っている。
【００２７】
以上のように構成された通帳リーダライタ１は、以下のように作動する。
【００２８】
まず、本実施形態では、通帳リーダライタ１の待機状態として、磁気ヘッド６の原位置６ａが上述の一方側端部９寄りに設定されている。そして、通帳がリーダライタ１に差し込まれて所定の位置にくると駆動手段が作動し、磁気ヘッド６がベルト掛け渡し方向ａに移動する。
【００２９】
この場合、搬送ベルト２が、掛け渡された従動ローラ５から駆動ギヤ４へ、さらにもう一方の従動ローラ５へと伝って送られるのに対し、この従動ローラ５を保護する防塵部材８は、従動ローラ５からテンション部材１０を経てもう一方の従動ローラ５へと送られる。したがって、搬送ベルト２と防塵部材８は、連結部材１６と従動ローラ５との間、およびもう一方の従動ローラ５とヘッド保持部材１５との間においては重なり合っているが、両従動ローラ５，５の間においてはそれぞれ別ルートによって送られることとなる。
【００３０】
このように、上述した実施形態における通帳リーダライタ１では、搬送ベルト２の歯部３のある面側に、この面に重なり合って一体的に走行する防塵部材８を設けていることから、このベルト２の歯部３のある面への異物の付着が防止され、走行速度のむらや異音の発生をなくすことができる。また、２つの従動ローラ５，５の間においては搬送ベルト２と防塵部材８とを別ルートで送るようにしているため、搬送ベルト２の歯部３と駆動ギヤ４の歯との係合が確保され、駆動に支障を来すこともない。
【００３１】
また、この通帳リーダライタ１では、防塵部材８にテンション部材１０による張力を付与することとしているので、駆動中に防塵部材８が弛んでしまうことがないし、さらに搬送ベルト２のテンションを調整し、あるいは経路変化による搬送ベルト２の長さの変化に対応することができる。しかもこの場合、防塵部材８は従動ローラ５，５への巻き付け角が大きくなる方向へ張力付与されているため、安定した走行も実現される。
【００３２】
さらに本実施形態では、フレーム１１から離間した状態でシャッター用ベルト１３を設けているため、磁気ヘッド６が走行して原位置６ａから移動する際に、シャッター用ベルト１３の裏面がフレーム１１に接触することがない。これにより、フレーム１１と接触する部位はヘッド保持部材１５のみという構造となることから、摺動抵抗が減少し、繰り返し磁気ヘッド６を移動させた場合にも速度変化が少ない。
【００３３】
なお、上述の実施形態は本発明の好適な実施の一例ではあるがこれに限定されるものではなく本発明の要旨を逸脱しない範囲において種々変形実施可能である。例えば、本実施形態では搬送ベルト２として歯部３付きのベルトを用いた場合について説明したが、歯部３が形成されていない平坦なベルトを駆動側の搬送ベルト２として用いることもできるし、この場合においても、搬送ベルト２の周囲を防塵部材８で覆うことにより塵埃の侵入や付着を防止できることについては変わるところがない。
【００３４】
また、本実施形態では通帳リーダライタ１としてのヘッド移動機構２２を説明したが、特にこれに限らず本発明はその他の機器においても広く利用可能なものである。したがって、本実施形態での磁気ヘッド６としては通帳に形成した磁気記録面７に当接するものが用いられているが特にこれに限定されないことはいうまでもなく、本発明を構成するヘッド移動機構２２を他のリーダライタなどにおいても実施することが当然に可能である。
【００３５】
【発明の効果】
以上の説明より明らかなように、請求項１記載の通帳リーダライタによれば、搬送ベルトの歯部のある面側に一体的に走行する防塵部材が設けられているため、このベルトの歯面への異物の付着が防止され、走行速度のむらや異音の発生などが防止されている。しかも、２つの従動ローラの間における防塵部材は搬送ベルトと別ルートで送られるので、駆動に支障を来すこともない。
【００３６】
また請求項２記載の通帳リーダライタによれば、テンション部材を設けたことにより、駆動中に防塵部材が弛んでしまうことがない。また、搬送ベルトの張力を調整できるし、経路変化による搬送ベルトの長さの変化に対応することもできる。
【００３７】
さらに請求項３記載の通帳リーダライタによれば、シャッター用ベルトは走行用空間を覆って機器内部を保護するシャッターとして機能することに加え、フレームから離間した状態で走行可能であり、フレームとの間における摺動抵抗を小さくするかあるいはなくして走行むらの発生を防止することができる。
【００３８】
また、請求項４記載の通帳リーダライタでは、テンション部材が回転可能なローラ部材が片持ち支持されるようにして構成を簡単にするとともに、張力の調整なども行い易いものとしている。
【図面の簡単な説明】
【図１】本発明にかかる通帳リーダライタの構成を示す側面図である。
【図２】図１に示す通帳リーダライタの正面図である。
【図３】従来の通帳リーダライタを示す側面図である。
【符号の説明】
１  通帳リーダライタ
２  搬送ベルト
３  歯部
４  駆動ギヤ
５  従動ローラ
６  磁気ヘッド
６ａ  原位置
７  磁気記録面
８  防塵部材
９  一方側端部
１０  テンション部材
１０ａ  ローラ部材
１１  フレーム
１２  走行用空間
１３  シャッター用ベルト
θ  巻き付け角
【図１】
0003645113.tif 000002
【図２】
0003645113.tif 000003
【図３】
0003645113.tif 000004